(57)【要約】      （修正有）【課題】複数枚のティッシュペーパーが同時に抜き取られる状況を防ぐティッシュペーパーケースの改良構成を提供する。【解決手段】開口を有する一の収納スペース１１を設けて収納スペース底面の少なくとも相対する二の側面にそれぞれ一のポジショニング部１２を設ける一の外枠１と、それぞれ一のロッド３１及び一のプレート３２から構成し、ロッドはその一端をポジショニング部に固定し、プレートはロッドのもう一端に軸支し、プレートの軸支によって二のロッドの間にあるティッシュペーパーの包装容器の両脇を抑え、外枠にある収納スペース内でポジショニングする二のホールド部材３と、収納スペースの開口に固定し、その中央部分に抜き取ったティッシュペーパーが通過する抜取口４１を設ける一の蓋体４とを包括する。【選択図】図１
0003189923.tif 000002
【実用新案登録請求の範囲】
【請求項１】
開口を有する一の収納スペースを設けて該収納スペース底面の少なくとも相対する二の側面にそれぞれ一のポジショニング部を設ける一の外枠と、
それぞれ一のロッド及び一のプレートから構成し、該ロッドはその一端を該ポジショニング部に固定し、該プレートは該ロッドのもう一端に軸支し、該プレートの軸支によって二のロッドの間にあるティッシュペーパーの包装容器の両脇を抑え、該外枠にある該収納スペース内でポジショニングする二のホールド部材と、
該収納スペースの開口に固定し、その中央部分に抜き取ったティッシュペーパーが通過する抜取口を設ける一の蓋体とを包括することを特徴とするティッシュペーパーケースの改良構成。
【請求項２】
該外枠にある該収納スペース底面は、さらに一のトレイを設け、該トレイの両側に該ロッドを嵌合するための貫通孔を設け、該ロッドにより該トレイは収納スペース内にポジショニングすることを特徴とする請求項１に記載のティッシュペーパーケースの改良構成。
【請求項３】
該外枠にある該収納スペース底面は、内部に収納するティッシュペーパーの既存量の確認のため、一の側面をくり抜いた確認窓を設けることを特徴とする請求項２に記載のティッシュペーパーケースの改良構成。
【請求項４】
該トレイの周縁は一の凸出部を設け、該凸出部を該確認窓に嵌入することで、該トレイがポジショニングし、該トレイの中央部分に一の凹み部を設け、該凹み部の周辺にくぼみ部を設けることを特徴とする請求項３に記載のティッシュペーパーケースの改良構成。
【請求項５】
該外枠にある該開口の周縁は一の被結合部を設け、これに相対する該蓋体の周縁は一の結合部を設け、結合部と被結合部とを接続することで、該蓋体を該外枠にある該収納スペースの該開口に固定することを特徴とする請求項１乃至４に記載のティッシュペーパーケースの改良構成。
【請求項６】
該被結合部は一のレールであって、該結合部は該レールに嵌合可能な一のスロットであって、該外枠にある該レールの一端は陥凹する欠口を設け、該蓋体にある該スロットの一端は突出する一の係止部を設け、該係止部は該欠口に嵌入することで、該蓋体を滑止してポジショニングすることを特徴とする請求項５に記載のティッシュペーパーケースの改良構成。
【請求項７】
該ポジショニング部は正方形形状の一のポジショニング孔を有し、該ロッドの一端はこれに対応して正方形の断面形状を有するため、該ロッドの一端は該ポジショニング孔に挿入することで該ロッドが回転しないようにポジショニングすることを特徴とする請求項１に記載のティッシュペーパーケースの改良構成。
【考案の詳細な説明】
【技術分野】
【０００１】
本考案は、ティッシュペーパーケースの改良構成、特にティッシュペーパーの包装容器の固定を可能にすることで、誤って無駄にティッシュペーパーを取り過ぎることを防ぐティッシュペーパーケースの改良構成に関するものである。
【背景技術】
【０００２】
生活水準の向上に伴い、ティッシュペーパーの需要も日に日に普及しており、通常、使用上の利便性を考慮して、現在よく見かけるティッシュペーパーのほとんどがポップアップ式形態で、その包装容器もソフトタイプ（ビニール袋等）やハードタイプ（紙箱等）の違いがある。確かに、該ハードタイプの包装容器は固定された形状を有し、且つその外観もデザイン性を有しているが、ティッシュペーパーに対する収納時の保護、即ち防湿効果があまり好ましくなく、且つ全体の材料及び組立のコストも高く、低価格であるティッシュペーパーにとって、メリットが合わず、該ソフトタイプ（ビニール袋等）の包装容器は確かに外観はハードタイプ（紙箱等）よりデザイン性を有しているとは言えないが、ティッシュペーパーに対する収納時の保護、即ち防湿効果が好ましいため、市販されているティッシュペーパーの多くが徐々にソフトタイプ（ビニール袋等）の材料を包装容器とし、使用するにあたり外観的ニーズがあった場合は、さらに再利用可能なティッシュペーパーケース等でティッシュペーパーを覆うことで、外観と低コストとを兼ね備えたものとなっている。
【０００３】
しかし、上述したソフトタイプ（ビニール袋等）の材料を包装容器とするティッシュペーパー商品は、ソフトタイプ（ビニール袋等）の材料の重量が軽いため、使用する際、特に枚数が残り少ない時、包装容器がティッシュペーパーを抜き取る力によって一緒に動いてしまい、その結果、ティッシュペーパー抜き取りの円滑性が影響されるだけでなく、複数枚のティッシュペーパーが同時に抜き取られる状況が起こり、応用上の不具合となっている。
【０００４】
上述の状況を改善するため、一の先行技術において、「一支持部材と複数の弾性部材とを有するティッシュボックスであって、該弾性部材はそれぞれ一ハウジング及び一ロッドに対応し、それぞれ一ホールドユニットを構成しており、該ティッシュボックスの内部は、下方にくり抜くように一収納スペースを形成し、その上方に一抜取口を設け、内壁上方には複数の係止孔を設けており、該支持部材のエッジは該係止孔に相対する箇所に複数の回避欠口を設け、底端中央には引上げ部材が固結されており、該弾性部材は一コイルで、該ハウジングの一方にある開口より挿入した後該ロッドを利用してその中心を通過し、該ハウジング内に軸支し、もう一端は該開口より伸長して一引掛けを設けており、このことからティッシュペーパー或いはトイレットペーパーを自動的にホールド可能にするティッシュボックス装置を形成する」と開示してあるものの、このようなロッド及び弾性部材（コイル）等を用いた伝動構成は、使用後、弾性部材（コイル）の弾性疲労によりその動きと効果が衰え、且つこのような構成は非常に複雑で、使用上、利にかなったものとはいえない。
【０００５】
従って、従来のティッシュペーパーケースの構成にある上述のような問題を鑑み、考案者はこの問題に対して研究、改良を加え、本考案を創作するものである。
【先行技術文献】
【特許文献】
【０００６】
【特許文献１】台湾実用新案公告第Ｉ３４４９２５号
【考案の概要】
【考案が解決しようとする課題】
【０００７】
本考案の主要な目的は、ティッシュペーパーの包装容器を有効的にポジショニングを行うことで、複数枚のティッシュペーパーが同時に抜き取られる状況を防ぐティッシュペーパーケースの改良構成である。
【０００８】
また、本考案のもう一つの目的は、その全体の構成が極めて単純且つ構成が強固で不具合が発生し難いティッシュペーパーケースの改良構成である。
【課題を解決するための手段】
【０００９】
本考案は上述の目的及び効果を達成するため、本考案に係るティッシュペーパーケースの改良構成は、開口を有する一の収納スペースを設けて該収納スペース底面の少なくとも相対する二の側面にそれぞれ一のポジショニング部を設ける一の外枠と、それぞれ一のロッド及び一のプレートから構成し、該ロッドはその一端を該ポジショニング部に固定し、該プレートは該ロッドのもう一端に軸支し、該プレートの軸支によって二のロッドの間にあるティッシュペーパーの包装容器の両脇を抑え、該外枠にある該収納スペース内でポジショニングする二のホールド部材と、収納スペースの開口に固定し、その中央部分に抜き取ったティッシュペーパーが通過する抜取口を設ける一の蓋体とを包括している。
【００１０】
また、上述の構成において、該外枠にある該収納スペース底面は、さらに一のトレイを設け、該トレイの両側に該ロッドを嵌合するための貫通孔を設け、該ロッドにより該トレイは収納スペース内にポジショニングしている。
【００１１】
また、上述の構成において、該外枠にある該収納スペース底面は、内部に収納するティッシュペーパーの既存量の確認のため、一の側面をくり抜いた確認窓を設けている。
【００１２】
また、上述の構成において、該トレイの周縁は一の凸出部を設け、該凸出部を該確認窓に嵌入することで、該トレイがポジショニングしている。
【００１３】
また、上述の構成において、該トレイの中央部分に一の凹み部を設け、該凹み部の周辺にくぼみ部を設けている。
【００１４】
また、上述の構成において、該外枠にある該開口の周縁は一の被結合部を設け、これに相対する該蓋体の周縁は一の結合部を設け、該結合部と該被結合部とを接続することで、該蓋体を該外枠にある該収納スペースの該開口に固定している。
【００１５】
また、上述の構成において、該被結合部は一のレールであって、該結合部は該レールに嵌合可能な一のスロットである。
【００１６】
また、上述の構成において、該外枠にある該レールの一端は陥凹する欠口を設け、該蓋体にある該スロットの一端は突出する一の係止部を設け、該係止部は該欠口に嵌入することで、該蓋体を滑止してポジショニングしている。
【００１７】
また、上述の構成において、該ポジショニング部は正方形形状の一のポジショニング孔を有し、該ロッドの一端はこれに対応して正方形の断面形状を有するため、該ロッドの一端は該ポジショニング孔に挿入することで該ロッドが回転しないようにポジショニングしている。
【００１８】
なお、本考案の詳細な構造、応用する原理、作用及びその効果は、下記にある図面の説明で完全に理解することができる。
【図面の簡単な説明】
【００１９】
【図１】本考案を表す構造分解図である。
【図２】本考案がティッシュペーパーの包装容器を収納する状態を表す模式図である。
【図３】本考案がティッシュペーパーの包装容器を固定する動きを表す模式図である。
【図４】本考案に係る蓋体が結合する動き表す模式図である。
【図５】本考案の全体を表す外観図である。
【考案を実施するための形態】
【００２０】
図１及び図２にあるように、本考案に係るティッシュペーパーケースの改良構成は、主に一の外枠１、一のトレイ２、二のホールド部材３及び一の蓋体４等の部材を包括しており、そのうち、該外枠１は開口を有する一の収納スペース１１を設けて該収納スペース１１底面の少なくとも相対する二の側面にそれぞれ一のポジショニング部１２を設け、該ポジショニング部１２はそれぞれ正方形の一のポジショニング孔１２１を設け、さらに該収納スペース１１内の一の側面に垂直に延伸する一の確認窓１４を設け、該外枠１にある該収納スペース１１の開口周縁の相対する二の側面に被結合部１３をそれぞれ設け、該被結合部１３は内部に向かって湾曲するレールであり、且つ各レールの一端は陥凹する欠口１３１を設けており、該トレイ２は該収納スペース１１の底面に設けられたトレイであって、その外周縁は一の凸出部２２２を設け該確認窓１４に挿入してポジショニングをし、該該トレイ２中央部分は一のティッシュペーパーの包装容器５を収納するための一の凹み部２１を設け、該凹み部２１の両側は湾曲する一の折れ縁２２を設け、各折れ縁２２に該ポジショニング孔１２１に相対する一の貫通孔２２１をそれぞれ設け、且つ該凹み部２１の周縁は複数のくぼみ部２３を設けており、該二のホールド部材３はそれぞれ該貫通孔２２１を通過する一のロッド３１と一のプレート３２から構成し、該ロッド３１の一端は該ポジショニング部１２の該ポジショニング孔１２１に挿入することができる正方形の断面形状の被ポジショニング部３１２を設け、該ロッド３１が回転しないようにポジショニングし、且つ該トレイ２は該ロッド３１によって該収納スペース１１内にポジショニングし、該ロッド３１のもう一端は一の軸支部３１１（一の円凸部であってもよい）を設け、該プレート３２はその一端に一の被軸支部３２１（一の軸孔であってもよい）を設け、該被軸支部３２１（軸孔）を軸支部３１１（円凸部）を嵌合することで、該プレート３２は該ロッド３１の一端で回転可能な軸支状態を形成しており、該蓋体４は中央部分に一の抜取口４１を設け、該蓋体４の周縁の相対する二の側面に該被結合部１３（レール）と結合可能な一の結合部４２をそれぞれ設け、該結合部４２はレールに嵌合できるスロットであって、該スロットの一端は突出する一の係止部４２１を設け、該結合部４２（スロット）と被結合部１３（レール）との結合を利用することで、該蓋体４は滑走するように該外枠１にある収納スペース１１の開口に結合し、該係止部４２１は該欠口１３１に嵌入することで、該蓋体４を滑止してポジショニングしている。
【００２１】
図２乃至５を参照すると、本考案を実際に応用する際、まずは該ティッシュペーパーの包装容器５を該トレイ２の凹み部２１に収納するため、該二のホールド部材３の該プレート３２をそれぞれ両脇に回転させ（図２を参照）、収納後また該プレート３２を中央に向けて９０度回転させることで該ティッシュペーパーの包装容器５の両脇を抑え、該ティッシュペーパーの包装容器５が外枠１にある該収納スペース１１内にポジショニングし（図３を参照）、さらに該蓋体４を滑走するように該収納スペース１１の開口に固定しており（図４を参照）、使用する際は、該抜取口４１より該収納スペース１１に収納された一のティッシュペーパー５１を抜取ることができる（図５を参照）。該ティッシュペーパー５１を抜取る際、該ティッシュペーパーの包装容器５は該プレート３２によって抑えられている状態のため、ティッシュペーパー５１の抜取の力で変位することなく、複数枚のティッシュペーパーが同時に抜き取られる状況が有効的に低減し、該確認窓１４は外部から該外枠１の内部にあるティッシュペーパーの既存量を確認することができると同時に、本考案全体の構成が極めて単純且つ構成が強固で不具合が発生し難いものである。
【００２２】
また、上述の構成において、該外枠１の該被結合部と該蓋体４の該被都合部とは、上述の実施例にあるような該レール１３（被結合部）及び該スロット４２（結合部）滑走するように嵌合する構成以外に、係合、粘着等の方法で結合する構成で、該蓋体４と該外枠１とを組合わせてポジショニングできる効果を達成するものであればよい。
【００２３】
以上のことから、本考案であるティッシュペーパーケースの改良構成は、誤って複数枚のティッシュペーパーを多く抜取り浪費してしまうことを防ぎ、ティッシュペーパーの抜取りの円滑性を向上する効果を有することから、産業上利用可能性、新規性及び進歩性等の登録要件を確実に有することは明白である。
【符号の説明】
【００２４】
１              外枠
１１            収納スペース
１２            ポジショニング部
１２１          ポジショニング孔
１３            被結合部
１３１          欠口
１４            確認窓
２              トレイ
２１            凹み部
２２            くぼみ部
２２１          貫通孔
２２２          凸出部
２３            くぼみ部
３              ホールド部材
３１            ロッド
３１１          軸支部
３１２          被ポジショニング部
３２            プレート
３２１          被軸支部
４              蓋体
４１            抜取口
４２            結合部
４２１          係止部
５              ティッシュペーパーの包装容器
５１            ティッシュペーパー
【図１】
0003189923.tif 000003
【図２】
0003189923.tif 000004
【図３】
0003189923.tif 000005
【図４】
0003189923.tif 000006
【図５】
0003189923.tif 000007
【手続補正書】
【提出日】平成26年1月27日(2014.1.27)
【手続補正１】
【補正対象書類名】実用新案登録請求の範囲
【補正対象項目名】請求項５
【補正方法】変更
【補正の内容】
【請求項５】
該外枠にある該開口の周縁は一の被結合部を設け、これに相対する該蓋体の周縁は一の結合部を設け、結合部と被結合部とを接続することで、該蓋体を該外枠にある該収納スペースの該開口に固定することを特徴とする請求項１乃至４のいずれか一項に記載のティッシュペーパーケースの改良構成。